Podtech/llm-jp-corpus-v4-ja_patent huggingface dataset:
【手続補正書】
【提出日】平成28年2月22日(2016.2.22)
【手続補正１】
【補正対象書類名】特許請求の範囲
【補正対象項目名】全文
【補正方法】変更
【補正の内容】
【特許請求の範囲】
【請求項１】
対向する端面のそれぞれに電極層を有するチップ電子部品を一時的に収容する二以上の
透孔が互いに近接した位置に形成されてなるチップ電子部品保持板、該チップ電子部品保
持板の各透孔の両開口部に近接した位置に配置されている一対の電極端子、該一対の電極
端子のそれぞれに電気的に接続されている検査器、該検査器に電気的に接続し、該検査器
にチップ電子部品の検査対象の電気的特性に関する信号を供給する制御器、そして検査済
みのチップ電子部品をその検査された電気的特性の相違に基づき分類して収容する分類系
統を含む、一対の電極端子をチップ電子部品の電極層のそれぞれに接触させることにより
、検査器から電極端子に送られる検査用電圧を、透孔に収容されているチップ電子部品に
印加して、その検査用電圧の印加により各チップ電子部品にて発生する電流値を各検査器
で検出できるようにされているチップ電子部品の特性検査と分類のための装置であって、
上記一対の電極端子の少なくとも一方が、ヤング率が１８０００ｋｇ／ｍｍ2以下の導電
性ファイバーを二次元方向のそれぞれに重なり合うように束ねて構成した電極端子である
ことを特徴とする装置。
【請求項２】
導電性ファイバーの平均径が２００μｍ以下である請求項１に記載の装置。
【請求項３】
導電性ファイバーの平均径が１２０μｍ以下である請求項１に記載の装置。
【請求項４】
導電性ファイバーの平均径が５０μｍ以下である請求項１に記載の装置。
【請求項５】
導電性ファイバーが導電性材料によりかしめられた状態で束ねられている請求項１に記
載の装置。
【請求項６】
導電性ファイバーがチップ電子部品の電極層の表面に、垂直もしくは垂直から３０度以
内の角度にて接触するように配置されている請求項１に記載の装置。
【請求項７】
導電性ファイバーが導電性非晶質合金材料製のファイバーである請求項１乃至６の内の
いずれかの項に記載の装置。
【請求項８】
対向する端面のそれぞれに電極層を有するチップ電子部品を一時的に収容する二以上の
透孔が互いに近接した位置に形成されてなるチップ電子部品保持板、該チップ電子部品保
持板の各透孔の両開口部に近接した位置に配置されている一対の電極端子、該一対の電極
端子のそれぞれに電気的に接続されている検査器、該検査器に電気的に接続し、該検査器
にチップ電子部品の検査対象の電気的特性に関する信号を供給する制御器、そして検査済
みのチップ電子部品をその検査された電気的特性に従って分類して収容する分類系統を含
む、上記の一対の電極端子をチップ電子部品の電極層のそれぞれに接触させることにより
、検査器から電極端子に送られる検査用電圧を、透孔に収容されたチップ電子部品に、上
記の一対の電極端子を介して印加して、その検査用電圧の印加により各チップ電子部品に
て発生する電流値を各検査器で検出できるようにされているチップ電子部品の特性検査と
分類のための装置であって、上記一対の電極端子の少なくとも一方が、導電性非晶質合金
材料ファイバーを二次元方向のそれぞれに重なり合うように束ねて構成した電極端子であ
ることを特徴とする装置。
【請求項９】
導電性非晶質合金材料ファイバーの平均径が２００μｍ以下である請求項８に記載の装
置。
【請求項１０】
導電性非晶質合金材料ファイバーの平均径が１２０μｍ以下である請求項８に記載の装
置。
【請求項１１】
導電性非晶質合金材料ファイバーの平均径が５０μｍ以下である請求項８に記載の装置
。
【請求項１２】
導電性非晶質合金材料ファイバーがチップ電子部品の電極層の表面に、垂直もしくは垂
直から３０度以内の角度にて接触するように配置されている請求項８に記載の装置。
【請求項１３】
導電性非晶質合金材料ファイバーが導電性材料によりかしめられた状態で束ねられてい
る請求項８乃至１２の内のいずれかの項に記載の装置。
【手続補正書】
【提出日】平成28年9月16日(2016.9.16)
【手続補正１】
【補正対象書類名】特許請求の範囲
【補正対象項目名】全文
【補正方法】変更
【補正の内容】
【特許請求の範囲】
【請求項１】
タービンにおける振動を減衰するシステムであって、
ａ．第１のセラミック翼形、前記第１のセラミック翼形に接続された第１のセラミックプラットホーム、及び前記第１のセラミックプラットホームに接続された第１の根元を有する第１の動翼と、
ｂ．前記第１の動翼に隣接する第２の動翼であって、第２のセラミック翼形、前記第２のセラミック翼形に接続された第２のセラミックプラットホーム、及び前記第２のセラミックプラットホームに接続された第２の根元を含む前記第２の動翼と、
ｃ．前記第１及び第２のセラミックプラットホームと同時接触する第１の位置を有する非金属プラットホームダンパーであって、互いに接続された複数の球体からなる非金属プラットホームダンパーと
を備える、システム。
【請求項２】
前記第１及び第２の根元はセラミックである、請求項１に記載のシステム。
【請求項３】
前記第１及び第２の根元と同時接触する第１の位置を有する非金属根元ダンパーを更に備えている、請求項１又は請求項２に記載のシステム。
【請求項４】
前記第１の根元及びロータホイールと同時接触する第１の位置を有する非金属根元ダンパーを更に備えている、請求項１又は請求項２に記載のシステム。
【請求項５】
前記非金属プラットホームダンパーは、ジルコニア、多結晶アルミナ、サファイア、炭化ケイ素、又は窒化ケイ素の少なくとも１つからなる、請求項１乃至請求項４のいずれか１項に記載のシステム。
【請求項６】
前記非金属プラットホームダンパーは、三角形断面又は六角形断面の少なくとも一方を有する、請求項１に記載のシステム。
【請求項７】
前記非金属プラットホームダンパーは複数のセグメントからなる、請求項１に記載のシステム。
【請求項８】
前記非金属プラットホームダンパーは中空である、請求項１乃至請求項７のいずれか１項に記載のシステム。
【請求項９】
ｄ．前記動翼をロータホイールに接続するように構成されたアダプタ
をさらに備えている、請求項１乃至請求項８のいずれか１項に記載のシステム。
【手続補正書】
【提出日】平成28年5月25日(2016.5.25)
【手続補正１】
【補正対象書類名】特許請求の範囲
【補正対象項目名】全文
【補正方法】変更
【補正の内容】
【特許請求の範囲】
【請求項１】
ピストンリングを受け入れるための少なくとも１つのリング溝を有する燃焼機関のためのピストンであって、
前記リング溝は、前記リング溝のピストンヘッド側の上方溝フランクよりもピストンヘッドから更に離れたピストンスカート側の下方溝フランクを有し、
潤滑剤を蓄積するために、前記下方溝フランクに形成されるあるパターンの凹部を含み、該凹部は、潤滑剤が前記パターンに進入するときに、前記パターンの凹部が面一にされるよう構成されるよう、えくぼのような、浅いカップ形状を有することを特徴とする、
ピストン。
【請求項２】
各凹部は、隣接する凹部の内部容積から分離される別個の内部容積を有することを特徴とする、請求項１に記載のピストン。
【請求項３】
各凹部は、その頂部に単一の開口を有することを特徴とする、請求項１又は２に記載のピストン。
【請求項４】
前記パターンの前記凹部の個々の頂部開口の開口平面は、共通の平面の上に配置されることを特徴とする、請求項３に記載のピストン。
【請求項５】
前記凹部は、それらの頂部開口に実質的に円形の断面形状を有することを特徴とする、請求項１乃至４のうちのいずれか１項に記載のピストン。
【請求項６】
前記凹部は、それらの頂部開口に実質的に多角形の断面形状を有することを特徴とする、請求項１乃至４のうちのいずれか１項に記載のピストン。
【請求項７】
ピストンリングを受け入れるための少なくとも１つのリング溝を有する燃焼機関のためのピストンであって、
前記リング溝は、前記リング溝のピストンヘッド側の上方溝フランクよりもピストンヘッドから更に離れるピストンスカート側の下方溝フランクを有し、潤滑剤を蓄積するために、あるパターンの凹部が、前記下方溝フランク内に形成され、
前記凹部は、互いに交差し合う方法において配置される縦溝を含む、
ピストン。
【請求項８】
前記パターンの前記凹部の前記個々の頂部開口の開口平面は、共通の平面の上に配置されることを特徴とする、請求項７に記載のピストン。
【請求項９】
前記パターンは、円形の断面形状、多角形の断面形状、又は前記縦溝の形状を有する、凹部から選択される、少なくとも２つの異なる形状の凹部の混合を含むことを特徴とする、請求項７に記載のピストン。
【請求項１０】
前記凹部の前記頂部開口の表面積は、前記開口平面と平行で前記凹部の内側にある平面の最大表面積であることを特徴とする、請求項１乃至９のうちのいずれか１項に記載のピストン。
【請求項１１】
前記パターンは、規則的なパターンであることを特徴とする、請求項１乃至１０のうちのいずれか１項に記載のピストン。
【手続補正書】
【提出日】平成28年11月11日(2016.11.11)
【手続補正１】
【補正対象書類名】特許請求の範囲
【補正対象項目名】全文
【補正方法】変更
【補正の内容】
【特許請求の範囲】
【請求項１】
ラテックスまたはエマルジョンを調製する方法であって：
ａ）ポリエステル樹脂を有機溶媒および任意で中和剤と接触させて、樹脂組成物を形成することと；
ｂ）蒸気を前記樹脂組成物に導入して機械的攪拌をせずに前記樹脂組成物の乳化処理を引き起こすことにより、ラテックスまたはエマルジョンを形成することと、を含む方法。
【請求項２】
中和率が２５％から５００％である、請求項１に記載の方法。
【請求項３】
前記有機溶媒がケトン、アルコール、エステル、エーテル、ニトリル、スルホン、スルホキシド、リンアミド、ベンゼン、ベンゼン誘導体、アミンおよびこれらの組合せからなる群から選択される、請求項１または２に記載の方法。
【請求項４】
前記蒸気が８０℃から１５０℃の温度で前記樹脂組成物に導入される、請求項１〜３のいずれか一項に記載の方法。
【請求項５】
前記樹脂組成物に導入される前記蒸気の圧力が０．０４バールから３５バールである、請求項１〜４のいずれか一項に記載の方法。
【請求項６】
前記ポリエステル樹脂は、ポリエステル、ポリオレフィン、ポリカーボネート、ポリアミド、ポリイミドまたはこれらの混合物を含む、請求項１〜５のいずれか一項に記載の方法。
【請求項７】
前記ラテックスまたはエマルジョンが５ｎｍから１０００ｎｍの一山の粒度分布を有する、請求項１〜６のいずれか一項に記載の方法。
【請求項８】
前記ラテックスまたはエマルジョンが５ｎｍから１０００ｎｍの二山の粒度分布を有する、請求項１〜６のいずれか一項に記載の方法。
【請求項９】
前記中和剤が水酸化アンモニウム、炭酸ナトリウム、水酸化カリウム、水酸化ナトリウム、重炭酸ナトリウム、水酸化リチウム、炭酸カリウム、重炭酸カリウムおよびこれらの混合物からなる群から選択される、請求項１〜８のいずれか一項に記載の方法。
【請求項１０】
前記有機溶媒は、蒸気を導入するとすぐに、自然発生的に蒸発する、請求項１〜９のいずれか一項に記載の方法。
【請求項１１】
前記蒸気が０．７バールから４．５バールの圧力で前記樹脂組成物に導入される、請求項１〜４のいずれか一項に記載の方法。
【請求項１２】
前記蒸気が０．１バールから２０バールの圧力で前記樹脂組成物に導入される、請求項１〜４のいずれか一項に記載の方法。
【請求項１３】
前記蒸気が９５℃から１２０℃の温度で前記樹脂組成物に導入される、請求項１〜３のいずれか一項に記載の方法。
【請求項１４】
前記有機溶媒が２−ブタノンを含有する、請求項３に記載の方法。
【請求項１５】
前記ａ）において、前記ポリエステル樹脂を前記中和剤と接触させる、請求項３に記載の方法。
【請求項１６】
前記蒸気が前記樹脂組成物内に浸漬されている噴射ノズルによって前記樹脂組成物に導入される、請求項１〜１５のいずれか一項に記載の方法。
【請求項１７】
前記ラテックスまたはエマルジョンが６０ｎｍから３００ｎｍの一山の粒度分布を有する、請求項１〜６のいずれか一項に記載の方法。
【請求項１８】
前記ラテックスまたはエマルジョンが６０ｎｍから３００ｎｍの二山の粒度分布を有する、請求項１〜６のいずれか一項に記載の方法。
【手続補正２】
【補正対象書類名】明細書
【補正対象項目名】発明の名称
【補正方法】変更
【補正の内容】
【発明の名称】ラテックスまたはエマルジョンの調製方法
【手続補正書】
【提出日】平成27年11月30日(2015.11.30)
【手続補正１】
【補正対象書類名】特許請求の範囲
【補正対象項目名】全文
【補正方法】変更
【補正の内容】
【特許請求の範囲】
【請求項１】
Ｆｅを７１重量％以上７６重量％以下、Ｃｒを１０重量％以上１３重量％以下、Ｎｉを４重量％以上９重量％以下、Ｃｕを４重量％以上７重量％以下、Ｔｉを２重量％以上３重量％以下、Ｃｏを０重量％以上４重量％以下、Ｓｉを０重量％以上０．５重量％以下、Ｍｎを０重量％以上０．５重量％以下を含有し、且つＣｒ＋Ｎｉが１６重量％以上１９重量％以下、Ｃｕ＋Ｔｉ＋Ｃｏが８重量％以上９重量％以下、Ｓｉ＋Ｍｎが０重量％以上１重量％以下であることを特徴とする金属粉末。
【請求項２】
前記金属粉末の平均粒子径が１０μｍ以上５０μｍ以下であることを特徴とする請求項１に記載の金属粉末。
【請求項３】
請求項１または２に記載の金属粉末に光ビームを照射して第一の焼結層を得る工程、前記第一の焼結層の上に前記金属粉末を形成して光ビームを照射して第二の焼結層を積層する工程を繰り返して三次元形状の造形物を得る工程を有することを特徴とする金属光造形による三次元造形物の製造方法。
【請求項４】
前記三次元造形物は射出成形用金型であって、前記焼結層を積層する方法において焼結層に光ビームを照射しない部分を形成し、前記光ビームを照射しない焼結しなかった部分の金属粉末を取り除き、射出成形用金型内部に媒体を通すための通路を形成する工程を有することを特徴とする請求項３に記載の三次元造形物の製造方法。
【請求項５】
前記三次元形状の造形物を得る工程の後に、さらに固溶化熱処理および時効硬化熱処理の少なくとも一方を施す工程を有することを特徴とする請求項３または４に記載の三次元造形物の製造方法。
【請求項６】
請求項４または５に記載の三次元造形物の製造方法を用いて製造された射出成形用金型を用いて成形されることを特徴とする成形品の製造方法。
【手続補正２】
【補正対象書類名】明細書
【補正対象項目名】発明の名称
【補正方法】変更
【補正の内容】
【発明の名称】金属粉末、三次元造形物の製造方法および成形品の製造方法
【手続補正３】
【補正対象書類名】明細書
【補正対象項目名】０００７
【補正方法】変更
【補正の内容】
【０００７】
上記の課題を解決する本発明の金属粉末は、Ｆｅを７１重量％以上７６重量％以下、Ｃｒを１０重量％以上１３重量％以下、Ｎｉを４重量％以上９重量％以下、Ｃｕを４重量％以上７重量％以下、Ｔｉを２重量％以上３重量％以下、Ｃｏを０重量％以上４重量％以下、Ｓｉを０重量％以上０．５重量％以下、Ｍｎを０重量％以上０．５重量％以下を含有し、且つＣｒ＋Ｎｉが１６重量％以上１９重量％以下、Ｃｕ＋Ｔｉ＋Ｃｏが８重量％以上９重量％以下、Ｓｉ＋Ｍｎが０重量％以上１重量％以下であることを特徴とする。
【手続補正４】
【補正対象書類名】明細書
【補正対象項目名】０００８
【補正方法】変更
【補正の内容】
【０００８】
本発明の三次元造形物の製造方法は、上記の金属粉末に光ビームを照射して第一の焼結層を得る工程、前記第一の焼結層の上に前記金属粉末を形成して光ビームを照射して第二の焼結層を積層する工程を繰り返して三次元形状の造形物を得る工程を有することを特徴とする。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】変更
【補正の内容】
【００１０】
本発明の成形品の製造方法は、上記の三次元造形物の製造方法を用いて製造された射出成形用金型を用いて成形されることを特徴とする。
【手続補正書】
【提出日】平成27年10月13日(2015.10.13)
【手続補正１】
【補正対象書類名】特許請求の範囲
【補正対象項目名】全文
【補正方法】変更
【補正の内容】
【特許請求の範囲】
【請求項１】
鮭鼻軟骨由来の分子量１万以上の水溶性タンパク質で、グリシンが全アミノ酸のモル比で３０％以上、及び、ハイドロキシプロリンとプロリンの合計が１５％以上含むことを特徴とするタンパク質。
【請求項２】
ゲル化しなく、魚臭がしないことを特徴とする請求項１に記載のタンパク質。
【請求項３】
鮭鼻軟骨に酢酸溶液を加え、固形分を除去した溶液を分画分子量１０万もしくは５万の限外ろ過膜に通す。次に、その通過溶液を分画分子量1万〜２万の限外ろ過膜に通し、限外ろ過膜を通過しない溶液を得ることによる、請求項１のタンパク質の製造法。
【手続補正書】
【提出日】平成27年11月30日(2015.11.30)
【手続補正１】
【補正対象書類名】特許請求の範囲
【補正対象項目名】全文
【補正方法】変更
【補正の内容】
【特許請求の範囲】
【請求項１】
複数枚のシート材からなるシート材束を綴じる綴じ機構と、
シート材を供給可能に接続された外部装置から供給されたシート材束を綴じる第１の綴じ位置と前記外部装置以外から供給されたシート材束を綴じる第２の綴じ位置とで前記綴じ機構の位置を異ならせる変位機構と、
前記外部装置の稼働状態を監視し、当該外部装置が前記シート材を供給できる状態のときは、前記綴じ機構を前記第１の綴じ位置に配置し、前記外部装置が前記シート材を供給できない状態のときは、前記綴じ機構を前記第２の綴じ位置に配置させるように前記変位機構を制御する制御手段と、を備えることを特徴とする、
シート材綴じ処理装置。
【請求項２】
前記制御手段は、前記外部装置が前記シート材を供給できない状態のときは、当該外部装置が前記シート材を供給できるようになるまでの第１時間と、前記綴じ機構の前記第１の綴じ位置と前記第２の綴じ位置との間の移動に要する第２時間とを取得し、前記第１時間が前記第２時間未満であれば前記綴じ機構を前記第１の綴じ位置に配置させ、前記第１時間が前記第２時間以上であれば前記綴じ機構を前記第２の綴じ位置に配置させるように前記変位機構を制御することを特徴とする、
請求項１記載のシート材綴じ処理装置。
【請求項３】
前記外部装置は、画像形成処理により前記シート材を供給する画像形成装置であり、
前記制御手段は、前記画像形成装置が画像形成処理を実行できる第１状態と、画像形成処理を実行できない第２状態のいずれであるかを監視し、前記第１状態のときは前記綴じ機構を前記第１の綴じ位置に配置させ、他方、前記第２状態のときは前記綴じ機構を前記第２の綴じ位置に配置させるように前記変位機構を制御することを特徴とする、
請求項１又は２記載のシート材綴じ処理装置。
【請求項４】
前記制御手段は、前記画像形成処理に用いられる現像剤の残量を検知し、前記現像剤の残量が規定値以上のときは前記綴じ機構を前記第１の綴じ位置に配置させ、前記残量が規定値未満のときは前記綴じ機構を前記第２の綴じ位置に移動させるように前記変位機構を制御することを特徴とする、
請求項３記載のシート材綴じ処理装置。
【請求項５】
前記制御手段は、前記画像形成装置が前記画像形成処理を実行しないときの待機電力を節約する節電モードを実行しているか否かを判別し、前記節電モードのときは前記綴じ手段を前記第２の綴じ位置に配置させるように前記変位機構を制御することを特徴とする、
請求項４記載のシート材綴じ処理装置。
【請求項６】
前記第２の綴じ位置は、前記シート材束が手動で供給されるときの綴じ位置であることを特徴とする、
請求項１ないし５のいずれかの項記載のシート材綴じ処理装置。
【請求項７】
シート材に画像を形成する画像形成手段と、
前記画像形成手段から供給された複数枚のシート材からなるシート材束を綴じる綴じ機構と、
前記画像形成手段から供給されたシート材束を綴じる第１の綴じ位置と前記画像形成手段以外から供給されたシート材束を綴じる第２の綴じ位置とで前記綴じ機構の位置を異ならせる変位機構と、
前記画像形成手段の稼働状態を監視し、当該画像形成手段が前記シート材を供給できる状態であるときは、前記綴じ機構を前記第１の綴じ位置に配置させ、前記画像形成手段が前記シート材を供給できない状態であるときは、前記綴じ機構を前記第２の綴じ位置に変位させるように前記変位機構を制御する制御手段と、を備えることを特徴とする、
画像形成システム。
【手続補正２】
【補正対象書類名】明細書
【補正対象項目名】００１０
【補正方法】変更
【補正の内容】
【００１０】
上記課題を解決する本発明のシート材綴じ処理装置は、複数枚のシート材からなるシート材束を綴じる綴じ機構と、変位機構を備える。変位機構は、シート材を供給可能に接続された外部装置から供給されたシート材束を綴じる第１の綴じ位置と前記外部装置以外から供給されたシート材束を綴じる第２の綴じ位置とで前記綴じ機構の位置を異ならせる。シート材綴じ処理装置は、前記外部装置の稼働状態を監視し、当該外部装置が前記シート材を供給できる状態のときは前記綴じ機構を前記第１の綴じ位置に配置させるように前記変位機構を制御する制御手段を備える。制御手段は、前記外部装置が前記シート材を供給できない状態のときは前記綴じ機構を前記第２の綴じ位置に配置させる。
【手続補正３】
【補正対象書類名】明細書
【補正対象項目名】００１１
【補正方法】変更
【補正の内容】
【００１１】
また、本発明の画像形成システムは、シート材に画像を形成する画像形成手段と、前記画像形成手段から供給された複数枚のシート材からなるシート材束を綴じる綴じ機構を備える。画像形成システムは、前記画像形成手段から供給されたシート材束を綴じる第１の綴じ位置と前記画像形成手段以外から供給されたシート材束を綴じる第２の綴じ位置とで前記綴じ機構の位置を異ならせる変位機構を備える。画像形成システムは、前記画像形成手段の稼働状態を監視し、当該画像形成手段が前記シート材を供給できる状態であるときは前記綴じ機構を前記第１の綴じ位置に配置させるように前記変位機構を制御する制御手段を備える。制御手段は、前記画像形成手段が前記シート材を供給できない状態であるときは前記綴じ機構を前記第２の綴じ位置に変位させるように前記変位機構を制御する。
【手続補正書】
【提出日】平成28年10月3日(2016.10.3)
【手続補正１】
【補正対象書類名】特許請求の範囲
【補正対象項目名】全文
【補正方法】変更
【補正の内容】
【特許請求の範囲】
【請求項１】
車体に設置されたバッテリーから車室内まで板状の金属配線で電源を供給したことを特徴とする自動車用電源供給装置。
【請求項２】
請求項１に記載の自動車用電源供給装置において、
前記金属配線を車室内で床面中央部上に延設し、前記車体に設置された多数の電気機器と前記金属配線をそれぞれワイヤーハーネスで接続したことを特徴とする自動車用電源供給装置。
【請求項３】
請求項２に記載の自動車用電源供給装置において、
前記金属配線を、複数の配線材を連結して構成したことを特徴とする自動車用電源供給装置。
【請求項４】
請求項３に記載の自動車用電源供給装置において、
前記複数の配線材を共通の配線材で構成し、各配線材の両端には、それぞれ連結手段を備えたことを特徴とする自動車用電源供給装置。
【請求項５】
請求項２乃至４のいずれか１項に記載の自動車用電源供給装置において、
前記金属配線には、前記各電気機器の最寄りの位置で前記ワイヤーハーネスを接続可能とした接続装置を備えたことを特徴とする自動車用電源供給装置。
【請求項６】
請求項１乃至５のいずれか１項に記載の自動車用電源供給装置において、
前記金属配線は、プラス側の金属配線と、マイナス側の金属配線を並べて延設したことを特徴とする自動車用電源供給装置。
【請求項７】
請求項２乃至６のいずれか１項に記載の自動車用電源供給装置において、
前記金属配線を、電気的絶縁性を備えた基台を介して前記車体に保持したことを特徴とする自動車用電源供給装置。
【請求項８】
請求項７に記載の自動車用電源供給装置において、
前記基台には、プラス側の金属配線とマイナス側の金属配線を並べて保持する保持部を備えたことを特徴とする自動車用電源供給装置。
【請求項９】
請求項１乃至５のいずれか１項に記載の自動車用電源供給装置において、
前記金属配線でプラス側の電源を供給し、ボディアースでマイナス側の電源を供給したことを特徴とする自動車用電源供給装置。
【手続補正２】
【補正対象書類名】明細書
【補正対象項目名】００１１
【補正方法】変更
【補正の内容】
【００１１】
上記課題を解決する自動車用電源供給装置は、車体に設置されたバッテリーから車室内まで、板状の金属配線で電源を供給したことを特徴とする。
この構成により、エンジンルームと車室の間の隔壁に形成される貫通孔の径を小さくすることができる。
【手続補正３】
【補正対象書類名】明細書
【補正対象項目名】００１９
【補正方法】変更
【補正の内容】
【００１９】
また、上記の自動車用電源供給装置において、前記基台には、プラス側の金属配線とマイナス側の金属配線を並べて保持する保持部を備えることが好ましい。
この構成により、プラス側の金属配線とマイナス側の金属配線が車体に対し電気的に絶縁された状態で、並べて保持される。
また、上記の自動車用電源供給装置において、前記金属配線でプラス側の電源を供給し、ボディアースでマイナス側の電源を供給することが好ましい。
この構成により、電気機器に金属配線でプラス側の電源が供給され、ボディアースでマイナス側の電源が供給される。
【手続補正書】
【提出日】平成28年11月7日(2016.11.7)
【手続補正１】
【補正対象書類名】特許請求の範囲
【補正対象項目名】全文
【補正方法】変更
【補正の内容】
【特許請求の範囲】
【請求項１】
シートバックフレームの左右側方に位置して上下方向に延びるサイドフレームを備えた車両用シートのシートフレームであって、
前記サイドフレームは、前記左右のサイドフレーム間に架設され、前記シートのシートバックに掛かる着座者の背凭れ荷重を受ける受圧部材を取り付けるための取付部材を備え、
前記取付部材には、前記取付部材の長尺方向に延びる円筒を該円筒の軸方向に沿った切断面で切断した形状に湾曲した湾曲部が設けられていることを特徴とする車両用シートのシートフレーム。
【請求項２】
前記サイドフレームは、側部に設けられた側板と、該側板の前端部からシート内側後方へ湾曲した前縁部と、前記側板の後端部からシート内側へ屈曲した後縁部と、を有し、
前記取付部材は、シート前後方向において前記前縁部と前記後縁部との間に配置されていることを特徴とする請求項１に記載の車両用シートのシートフレーム。
【請求項３】
長尺方向における前記取付部材の一端は、前記サイドフレームに取付けられており、他端は、シート内側に向かって湾曲するとともにシート外側方向が解放されたＪ字状を有することを特徴とする請求項１又は２に記載の車両用シートのシートフレーム。
【請求項４】
前記受圧部材はワイヤを有し、
該ワイヤは前記取付部材に係止されており、
前記ワイヤの先端部は、前記ワイヤの前記取付部材に係止される部分よりもシート内側に向かって屈曲していることを特徴とする請求項１乃至３のいずれか一項に記載の車両用シートのシートフレーム。
【請求項５】
前記サイドフレームには、孔部が設けられており、
前記取付部材は、前記孔部の少なくとも一部に対向して配置されていることを特徴とする請求項１乃至４のいずれか一項に記載の車両用シートのシートフレーム。
【請求項６】
前記取付部材には開口が設けられていることを特徴とする請求項１乃至５のいずれか一項に記載の車両用シートのシートフレーム。
【請求項７】
前記開口は前記受圧部材と同じ高さに位置していることを特徴とする請求項６に記載の車両用シートのシートフレーム。
【請求項８】
前記受圧部材を取り付けるための、前記取付部材とは別の第二取付部材を有し、
前記取付部材と前記第二取付部材とは、上下に離間して配置されており、
前記取付部材及び前記第二取付部材のそれぞれの前記サイドフレームへの取付位置は、シート左右方向でずれた位置に配置されていることを特徴とする請求項１乃至７のいずれか一項に記載の車両用シートのシートフレーム。
【請求項９】
前記受圧部材は、前記取付部材及び前記第二取付部材にそれぞれ係止される２本のワイヤを有し、
各ワイヤの先端部はそれぞれ上下方向における一方向を向いており、
前記２本のワイヤのうち、前記先端部が向いている方向の側に配置されているワイヤは、他のワイヤよりもシート左右方向における内側に配置されていることを特徴とする請求項８に記載の車両用シートのシートフレーム。
【手続補正２】
【補正対象書類名】明細書
【補正対象項目名】発明の名称
【補正方法】変更
【補正の内容】
【発明の名称】車両用シートのシートフレーム
【手続補正３】
【補正対象書類名】明細書
【補正対象項目名】０００７
【補正方法】変更
【補正の内容】
【０００７】
前記課題は、本発明によれば、シートバックフレームの左右側方に位置して上下方向に延びるサイドフレームを備えた車両用シートのシートフレームであって、前記サイドフレームは、前記左右のサイドフレーム間に架設され、前記シートのシートバックに掛かる着座者の背凭れ荷重を受ける受圧部材を取り付けるための取付部材を備え、前記取付部材には、前記取付部材の長尺方向に延びる円筒を該円筒の軸方向に沿った切断面で切断した形状に湾曲した湾曲部が設けられていること、により解決される。
【手続補正４】
【補正対象書類名】明細書
【補正対象項目名】０００９
【補正方法】変更
【補正の内容】
【０００９】
また、前記サイドフレームは、側部に設けられた側板と、該側板の前端部からシート内側後方へ湾曲した前縁部と、前記側板の後端部からシート内側へ屈曲した後縁部と、を有し、前記取付部材は、シート前後方向において前記前縁部と前記後縁部との間に配置されているとよい。
【手続補正５】
【補正対象書類名】明細書
【補正対象項目名】００１０
【補正方法】変更
【補正の内容】
【００１０】
また、長尺方向における前記取付部材の一端は、前記サイドフレームに取付けられており、他端は、シート内側に向かって湾曲するとともにシート外側方向が解放されたＪ字状を有すると好適である。
【手続補正６】
【補正対象書類名】明細書
【補正対象項目名】００１１
【補正方法】変更
【補正の内容】
【００１１】
このとき、前記受圧部材はワイヤを有し、該ワイヤは前記取付部材に係止されており、前記ワイヤの先端部は、前記ワイヤの前記取付部材に係止される部分よりもシート内側に向かって屈曲しているとよい。
【手続補正７】
【補正対象書類名】明細書
【補正対象項目名】００１２
【補正方法】変更
【補正の内容】
【００１２】
さらに、前記サイドフレームには、孔部が設けられており、前記取付部材は、前記孔部の少なくとも一部に対向して配置されていると好適である。
【手続補正８】
【補正対象書類名】明細書
【補正対象項目名】００１３
【補正方法】変更
【補正の内容】
【００１３】
また、前記取付部材には開口が設けられるよう構成することもできる。
【手続補正９】
【補正対象書類名】明細書
【補正対象項目名】００１４
【補正方法】変更
【補正の内容】
【００１４】
このとき、前記開口は前記受圧部材と同じ高さに位置しているとよい。
【手続補正１０】
【補正対象書類名】明細書
【補正対象項目名】００１５
【補正方法】変更
【補正の内容】
【００１５】
また、前記受圧部材を取り付けるための、前記取付部材とは別の第二取付部材を有し、前記取付部材と前記第二取付部材とは、上下に離間して配置されており、前記取付部材及び前記第二取付部材のそれぞれの前記サイドフレームへの取付位置は、シート左右方向でずれた位置に配置されていると好適である。
【手続補正１１】
【補正対象書類名】明細書
【補正対象項目名】００１６
【補正方法】変更
【補正の内容】
【００１６】
さらに、前記受圧部材は、前記取付部材及び前記第二取付部材にそれぞれ係止される２本のワイヤを有し、各ワイヤの先端部はそれぞれ上下方向における一方向を向いており、前記２本のワイヤのうち、前記先端部が向いている方向の側に配置されているワイヤは、他のワイヤよりもシート左右方向における内側に配置されるよう構成することもできる。
【手続補正１２】
【補正対象書類名】明細書
【補正対象項目名】００１７
【補正方法】削除
【補正の内容】
【手続補正書】
【提出日】平成28年7月5日(2016.7.5)
【手続補正１】
【補正対象書類名】特許請求の範囲
【補正対象項目名】全文
【補正方法】変更
【補正の内容】
【特許請求の範囲】
【請求項１】
車両の車体フロアに支持されたシートバックと、
前記シートバックに対してチップアップされるように、前記シートバックに旋回自在に支持されたシートクッションと、
前記シートクッションの底部に旋回自在に支持された脚手段と、
前記脚手段を前記車体フロアに保持するロック装置と、を備え、
前記ロック装置は、前記車体フロアに装着されたベース部材と、前記脚部材を離脱可能に受け入れる受け部材と、を有し、
前記ベース部材は、略断面Ｕ字状部位を有して該略断面Ｕ字状部位の開口を上向きにして装着されており、
前記受け部材は、開口を有して該開口を上向きにして設けられており、
前記ロック装置は、前記車体フロアの段差が設けられた段差部に設けられていることを特徴とする車両用シート。
【請求項２】
前記ベース部材は、前記車体フロアの段差部の高い側で前記車体フロアに固定されていることを特徴とする請求項１に記載の車両用シート。
【請求項３】
前記脚手段の下端部は、前記脚手段の上端部よりも、前記車両用シートの前後方向における前側に配置されていることを特徴とする請求項１又は２に記載の車両用シート。
【請求項４】
前記シートバックのシートバックフレームの両側部から下方に伸びる一対の第１及び第２のサイドブラケットを備え、
前記第１及び第２のサイドブラケットは、前記車体フロアの上面及び側面に当接していることを特徴とする請求項１乃至３のいずれか一項に記載の車両用シート。
【請求項５】
前記車体フロアの上面は、前方に向けて下方に傾斜する傾斜面を有し、
前記第１及び第２のサイドブラケットは、前記傾斜面に取り付けられていることを特徴とする請求項４に記載の車両用シート。
【請求項６】
前記脚手段は、Ｕ字状に形成されており、
該Ｕ字状の脚手段の両端部は、前記シートクッションの底面に形成された開口に貫通させて取り付けられていることを特徴とする請求項１乃至５のいずれか一項に記載の車両用シート。
【請求項７】
前記シートクッションの開口を覆うカバー部材が設けられていることを特徴とする請求項６に記載の車両用シート。
【請求項８】
前記シートクッションを前記シートバックに対してチップアップさせるための操作レバーが、前記車両用シートの左右方向における前記シートクッションの側面と前記脚手段との間に設けられていることを特徴とする請求項１乃至７のいずれか一項に記載の車両用シート。
【請求項９】
前記脚手段は、前記車両用シートの左右方向における前記シートクッションの底面の中央部よりも前記操作レバーと反対側に偏倚して配置されていることを特徴とする請求項８に記載の車両用シート。
【手続補正２】
【補正対象書類名】明細書
【補正対象項目名】０００６
【補正方法】変更
【補正の内容】
【０００６】
前記課題は、本発明の車両用シートによれば、車両の車体フロアに支持されたシートバックと、前記シートバックに対してチップアップされるように、前記シートバックに旋回自在に支持されたシートクッションと、前記シートクッションの底部に旋回自在に支持された脚手段と、前記脚手段を前記車体フロアに保持するロック装置と、を備え、前記ロック装置は、前記車体フロアに装着されたベース部材と、前記脚部材を離脱可能に受け入れる受け部材と、を有し、前記ベース部材は、略断面Ｕ字状部位を有して該略断面Ｕ字状部位の開口を上向きにして装着されており、前記受け部材は、開口を有して該開口を上向きにして設けられており、前記ロック装置は、前記車体フロアの段差が設けられた段差部に設けられていること、により解決される。
【手続補正３】
【補正対象書類名】明細書
【補正対象項目名】０００７
【補正方法】変更
【補正の内容】
【０００７】
このとき、前記ベース部材は、前記車体フロアの段差部の高い側で前記車体フロアに固定されていると好適である。
また、前記脚手段の下端部は、前記脚手段の上端部よりも、前記車両用シートの前後方向における前側に配置されていると好適である。
さらに、前記シートバックのシートバックフレームの両側部から下方に伸びる一対の第１及び第２のサイドブラケットを備え、前記第１及び第２のサイドブラケットは、前記車体フロアの上面及び側面に当接しているとよい。
【手続補正４】
【補正対象書類名】明細書
【補正対象項目名】０００８
【補正方法】変更
【補正の内容】
【０００８】
また、前記車体フロアの上面は、前方に向けて下方に傾斜する傾斜面を有し、前記第１及び第２のサイドブラケットは、前記傾斜面に取り付けられていると好適である。
このとき、前記脚手段はＵ字状に形成されており、該Ｕ字状の脚手段の両端部は前記シートクッションの底面に形成された開口に貫通させて取り付けられていると好適であり、さらに、前記シートクッションの開口を覆うカバー部材が設けられていると、より好適である。
【手続補正５】
【補正対象書類名】明細書
【補正対象項目名】０００９
【補正方法】変更
【補正の内容】
【０００９】
また、前記シートクッションを前記シートバックに対してチップアップさせるための操作レバーが、前記車両用シートの左右方向における前記シートクッションの側面と前記脚手段との間に設けられた構成とすることもできる。
そして、前記脚手段は、前記車両用シートの左右方向における前記シートクッションの底面の中央部よりも前記操作レバーと反対側に偏倚して配置されているとよい。
【手続補正書】
【提出日】平成28年7月22日(2016.7.22)
【手続補正１】
【補正対象書類名】特許請求の範囲
【補正対象項目名】全文
【補正方法】変更
【補正の内容】
【特許請求の範囲】
【請求項１】
始動領域への遊技媒体の進入にもとづいて可変表示を行い、遊技者にとって有利な有利状態に制御可能な遊技機であって、
未だ開始していない可変表示に関する情報を保留情報として記憶する保留記憶手段と、
前記保留情報に対応して保留表示を保留表示部に表示させる保留表示制御手段と、
前記保留情報の数に対応して前記保留表示とは異なる保留画像を表示させる保留画像表示制御手段と、
所定演出を実行可能な所定演出実行手段と、
前記始動領域への遊技媒体の進入頻度が異なる低進入状態と高進入状態とに制御可能な進入状態制御手段とを備え、
前記保留画像表示制御手段は、前記保留情報の数が０である場合には、前記保留画像を表示させないように制御し、
前記保留表示制御手段によって表示される前記保留表示は、前記所定演出の実行中に視認困難または視認不可能となる一方、
前記保留画像表示制御手段によって表示される前記保留画像は、前記所定演出の実行中であっても視認可能であり、
前記保留表示制御手段は、前記保留表示部において前記保留記憶手段が前記保留情報を所定の上限数まで記憶可能であることを示唆し、前記低進入状態と前記高進入状態とで態様を異ならせて前記保留表示部を表示する、遊技機。
【請求項２】
前記有利状態とするか否かを決定する決定手段と、
前記決定手段の決定前に、前記保留記憶手段に記憶されている前記保留情報にもとづいて前記有利状態となるか否かを判定する特定判定手段とをさらに備える、請求項１に記載の遊技機。
【手続補正２】
【補正対象書類名】明細書
【補正対象項目名】０００９
【補正方法】変更
【補正の内容】
【０００９】
（１）  始動領域（例えば、第１始動入賞口１３、第２始動入賞口１４）への遊技媒体（例えば、遊技球）の進入にもとづいて可変表示（例えば、第１特別図柄、第２特別図柄の可変表示）を行い、遊技者にとって有利な有利状態（例えば、大当り遊技状態）に制御可能な遊技機であって、
未だ開始していない可変表示に関する情報を保留情報として記憶する保留記憶手段（例えば、第１保留記憶バッファ、第２保留記憶バッファ）と、
保留情報に対応して保留表示（例えば、第１保留表示、第２保留表示）を保留表示部（たとえば、第１保留記憶表示部９ａおよび第２保留記憶表示部９ｂ）に表示させる保留表示制御手段（例えば、演出制御用マイクロコンピュータ１００におけるステップＳ６６３１，Ｓ６６７１，Ｓ８００Ａを実行する部分）と、
保留情報の数に対応して保留表示とは異なる保留画像（例えば、第１保留画像、第２保留画像）を表示させる保留画像表示制御手段（例えば、演出制御用マイクロコンピュータ１００におけるステップＳ６６３２，Ｓ６６７２，Ｓ８００Ｂを実行する部分）と、所定演出（例えば、スーパーリーチ演出）を実行可能な所定演出実行手段（例えば、演出制御用マイクロコンピュータ１００におけるステップＳ８００４で選択したスーパーリーチに応じたプロセステーブルに従ってステップＳ８００６，Ｓ８１０５を実行する部分）と、
始動領域への遊技媒体の進入頻度が異なる低進入状態（例えば、低ベース状態）と高進入状態（例えば、高ベース状態）とに制御可能な進入状態制御手段とを備え、
保留画像表示制御手段は、保留情報の数が０である場合には、保留画像を表示させないように制御し（例えば、演出制御用マイクロコンピュータ１００は、ステップＳ６６３１Ａ，Ｓ６６７１Ａにおいて、減算後の第１保留記憶数や第２保留記憶数が０であれば、ステップＳ６６３１Ｂ，Ｓ６６７１Ｂを実行して第１保留画像や第２保留画像を消去する）、
保留表示制御手段によって表示される保留表示は、所定演出の実行中に視認困難または視認不可能となる一方、保留画像表示制御手段によって表示される保留画像は、所定演出の実行中であっても視認可能であり（例えば、演出制御用マイクロコンピュータ１００は、ステップＳ８１０７でＹのときステップＳ８１１０を実行して第１保留表示および第２保留表示を消去するのに対して、第１保留画像および第２保留画像を消去する処理は行わない）、
保留表示制御手段は、保留表示部において保留記憶手段が保留情報を所定の上限数まで記憶可能であることを示唆し（たとえば、図６０（Ａ）で示すように、第１保留記憶表示部９ａおよび第２保留記憶表示部９ｂは、それぞれ、保留台座Ｄ１，Ｄ２を４つ予め表示している保留台座領域９０を含んでもよいし、４つ分の保留表示Ｈを表示可能なスペースが用意された領域であってもよい。）、低進入状態と高進入状態とで態様を異ならせて保留表示部を表示する（たとえば、図６０（Ａ）で示すように、低ベース状態においては保留台座Ｄ１，Ｄ２を表示するが、図６０（Ｂ）で示すように、高ベース状態においては保留台座を表示しない。保留台座の表示態様を低ベース状態と高ベース状態とで異ならせるようにしてもよい。）。
【手続補正３】
【補正対象書類名】明細書
【補正対象項目名】００１１
【補正方法】変更
【補正の内容】
【００１１】
（２）  上記（１）の遊技機において、
前記保留表示制御手段は、前記所定の上限数の前記保留表示を表示させた場合のそれぞれの前記保留表示に対応する前記所定の上限数の上限示唆表示を、前記保留表示部に表示する（たとえば、図６０（Ａ）で示すように、低ベース状態においては４つの保留台座Ｄ１，Ｄ２を表示する。）。
【手続補正４】
【補正対象書類名】明細書
【補正対象項目名】００１９
【補正方法】変更
【補正の内容】
【００１９】
（６）  上記（１）から（５）のいずれかの遊技機において、
有利状態とするか否かを決定する決定手段（例えば、遊技制御用マイクロコンピュータ５６０におけるステップＳ６１を実行する部分）と、
決定手段の決定前に、保留記憶手段に記憶されている保留情報にもとづいて有利状態となるか否かを判定する特定判定手段（例えば、遊技制御用マイクロコンピュータ５６０におけるステップＳ１２１７Ａ，Ｓ１２１７Ｂを実行する部分）とをさらに備える。
【手続補正書】
【提出日】平成28年5月31日(2016.5.31)
【手続補正１】
【補正対象書類名】特許請求の範囲
【補正対象項目名】全文
【補正方法】変更
【補正の内容】
【特許請求の範囲】
【請求項１】
遊技領域が形成された遊技盤と、
前記遊技領域の所定位置に設けられ、遊技球の入球が当否判定のための抽選の契機となる始動入賞口と、
前記当否判定の結果を示すための図柄が変動表示される図柄表示装置と、
演出画像が表示される演出表示装置と、
遊技の基本動作を制御する主制御装置と、
前記遊技の演出的動作を制御する副制御装置と、
を備え、
前記主制御装置は、
前記始動入賞口への入球を契機として、通常遊技より遊技者に有利な状態である特別遊技へ移行するか否かを判定するための抽選値に基づいて前記当否判定を実行する当否判定手段と、
前記図柄の変動表示過程を定める変動パターンを決定する変動パターン決定手段と、
決定された変動パターンにしたがって前記図柄を前記図柄表示装置に変動表示させる表示制御手段と、
前記図柄の変動表示の開始条件を充足するまで前記抽選値を保留する保留制御手段と、
前記始動入賞口への入球があったときに、当該入球を契機として取得された抽選値に基づく当否判定の結果を示す図柄の変動表示が直ちに開始されるか否かにかかわらず、当該入球に関する情報を先読み情報として前記副制御装置へ通知する通知手段と、
を備え、
前記副制御装置は、
前記演出表示装置に表示させる演出を決定する演出決定手段と、
前記演出決定手段により決定された演出を前記演出表示装置に表示させる演出表示制御手段と、
を備え、
前記変動パターンは、主変動パターンのみ、又は、前記主変動パターンと前記主変動パターンの前又は後に付加される１以上の変動付加パターンとから構成され、
前記変動パターン決定手段は、第１のパターン抽選値に基づいて、複数種類の主変動パターンから、前記当否判定の結果及び前記図柄の種類に応じていずれかを選択するとともに、前記第１のパターン抽選値とは異なる第２のパターン抽選値に基づいて、複数種類の変動付加パターンから、選択された主変動パターンに応じて１以上を選択する、又は、前記変動付加パターンを付加しないことを選択することにより、前記変動パターンを決定し、
選択された変動付加パターンに対応して表示される前記演出の内容により、前記特別遊技へ移行する期待度及び遊技者への利益態様が示唆され、
前記先読み情報に基づく予告演出を実行可能であり、
前記演出決定手段が前記主制御装置から変動パターンに係るコマンドを受信したことに基づき決定する変動演出パターンは、前記予告演出を実行しているか否かにかかわらず、前記変動パターン決定手段により決定された変動パターンにしたがって決定される弾球遊技機。
【手続補正２】
【補正対象書類名】明細書
【補正対象項目名】０００６
【補正方法】変更
【補正の内容】
【０００６】
上記課題を解決するために、本発明のある態様の弾球遊技機は、遊技領域が形成された遊技盤と、遊技領域の所定位置に設けられ、遊技球の入球が当否判定のための抽選の契機となる始動入賞口と、当否判定の結果を示すための図柄が変動表示される図柄表示装置と、演出画像が表示される演出表示装置と、遊技の基本動作を制御する主制御装置と、遊技の演出的動作を制御する副制御装置と、を備える。主制御装置は、始動入賞口への入球を契機として、通常遊技より遊技者に有利な状態である特別遊技へ移行するか否かを判定するための抽選値に基づいて当否判定を実行する当否判定手段と、図柄の変動表示過程を定める変動パターンを決定する変動パターン決定手段と、決定された変動パターンにしたがって図柄を図柄表示装置に変動表示させる表示制御手段と、図柄の変動表示の開始条件を充足するまで抽選値を保留する保留制御手段と、始動入賞口への入球があったときに、当該入球を契機として取得された抽選値に基づく当否判定の結果を示す図柄の変動表示が直ちに開始されるか否かにかかわらず、当該入球に関する情報を先読み情報として副制御装置へ通知する通知手段と、を備える。副制御装置は、演出表示装置に表示させる演出を決定する演出決定手段と、演出決定手段により決定された演出を演出表示装置に表示させる演出表示制御手段と、を備える。変動パターンは、主変動パターンのみ、又は、主変動パターンと主変動パターンの前又は後に付加される１以上の変動付加パターンとから構成され、変動パターン決定手段は、第１のパターン抽選値に基づいて、複数種類の主変動パターンから、当否判定の結果及び図柄の種類に応じていずれかを選択するとともに、第１のパターン抽選値とは異なる第２のパターン抽選値に基づいて、複数種類の変動付加パターンから、選択された主変動パターンに応じて１以上を選択する、又は、変動付加パターンを付加しないことを選択することにより、変動パターンを決定し、選択された変動付加パターンに対応して表示される演出の内容により、特別遊技へ移行する期待度及び遊技者への利益態様が示唆され、先読み情報に基づく予告演出を実行可能であり、演出決定手段が主制御装置から変動パターンに係るコマンドを受信したことに基づき決定する変動演出パターンは、予告演出を実行しているか否かにかかわらず、変動パターン決定手段により決定された変動パターンにしたがって決定される。
【手続補正書】
【提出日】平成28年6月1日(2016.6.1)
【手続補正１】
【補正対象書類名】特許請求の範囲
【補正対象項目名】全文
【補正方法】変更
【補正の内容】
【特許請求の範囲】
【請求項１】
ゲームの進行に応じて抽選を行う抽選手段と、
複数の図柄列が変動表示される表示領域を有する表示手段と、
を備える遊技機であって、
前記表示領域は、
単位図柄列における図柄数をＮとし、図柄列数をＭとし、前記図柄列の変動表示が停止されると［Ｎ×Ｍ］の図柄を表示可能であり、
前記遊技機は、さらに、
前記抽選手段による抽選結果に基づいて前記表示領域に所定の表示内容を表示する通常表示制御手段と、
前記表示領域の形態及び大きさが変わらないとされているなかで、前記通常表示制御手段により表示される前記所定の表示内容を変えることなく前記表示領域全体の表示態様を変える演出を実行可能な特殊表示制御手段と、
を備えることを特徴とする遊技機。
【請求項２】
前記抽選手段は、
所定の乱数を取得し、該取得された乱数にもとづいて前記抽選を行うものである
請求項１に記載の遊技機。
【請求項３】
サウンドが出力されるスピーカをさらに備える
請求項１または２に記載の遊技機。
【手続補正２】
【補正対象書類名】明細書
【補正対象項目名】０００５
【補正方法】変更
【補正の内容】
【０００５】
しかしながら、例えば特許文献１に示されるような従来の遊技機では、枠内に表示される図柄組み合わせがパターン化しており、遊技者の興趣が低下するおそれがある。
【手続補正３】
【補正対象書類名】明細書
【補正対象項目名】０００７
【補正方法】変更
【補正の内容】
【０００７】
請求項１に記載の遊技機は、ゲームの進行に応じて抽選を行う抽選手段と、複数の図柄列が変動表示される表示領域を有する表示手段と、を備える遊技機であって、前記表示領域は、単位図柄列における図柄数をＮとし、図柄列数をＭとし、前記図柄列の変動表示が停止されると［Ｎ×Ｍ］の図柄を表示可能であり、前記遊技機は、さらに、前記抽選手段による抽選結果に基づいて前記表示領域に所定の表示内容を表示する通常表示制御手段と、前記表示領域の形態及び大きさが変わらないとされているなかで、前記通常表示制御手段により表示される前記所定の表示内容を変えることなく前記表示領域全体の表示態様を変える演出を実行可能な特殊表示制御手段と、を備えるものである。
請求項２に記載の遊技機は、請求項１において、前記抽選手段は、所定の乱数を取得し、該取得された乱数にもとづいて前記抽選を行うものである。
請求項３に記載の遊技機は、請求項１または２において、サウンドが出力されるスピーカをさらに備えるものである。
【手続補正書】
【提出日】平成28年6月16日(2016.6.16)
【手続補正１】
【補正対象書類名】特許請求の範囲
【補正対象項目名】全文
【補正方法】変更
【補正の内容】
【特許請求の範囲】
【請求項１】
気体の流れから液体吸収剤に１つ以上の気体の成分を吸収する、或いは、１つ以上の気体の成分を帯びた液体吸収剤を精製するための装置において使用される構造化充填物であって、
前記構造化充填物が、第１のうねを有する第１の層を備え、
前記第１のうねによって複数の第１の開放通路が形成され、
前記複数の第１の開放通路のうちの１つが、第１のうねの谷、第１のうねの山及び第２のうねの山を含み、
前記第１のうねの山と前記第２のうねの山との間に前記第１のうねの谷があり、
前記第１のうねの山が、第１の頂部を有し、前記第２のうねの山が、第２の頂部を有し、前記第１のうねの谷が、第１の谷底を有し、
前記第１の頂部の延在している方向に沿って第１のへこみが、前記第１のうねの山の前記第１の頂部に形成され、
前記第２の頂部の延在している方向に沿って第２のへこみが、前記第２のうねの山の前記第２の頂部に形成され、
前記第１のへこみの少なくとも１つの点での前記第１のうねの谷の前記第１の谷底からの垂直間隔が、前記第１のうねの谷の前記第１の谷底から前記第１の頂部までの垂直間隔よりも狭くなっており、
前記構造化充填物が、前記第１の層の上に設けられた、第２のうねを有する第２の層を更に備え、
前記第２のうねによって複数の第２の開放通路が形成され、
前記複数の第２の開放通路のうちの１つが、第２のうねの谷、第３のうねの山及び第４のうねの山を含み、
前記第３のうねの山と前記第４のうねの山との間に前記第２のうねの谷があり、
前記第３のうねの山が、第３の頂部を有し、前記第４のうねの山が、第４の頂部を有し、前記第２のうねの谷が、第２の谷底を有し、
前記第１の層及び前記第２の層が、前記複数の第１の開放通路と前記複数の第２の開放通路とが交差するように配置され、
前記第１の層が前記第２の層と前記第１及び第２の頂部と前記第２の谷底とを介して接触し、
前記第１及び第２の頂部と前記第２の谷底とを介した接触が、前記第１のへこみ、或いは前記第２のへこみの各々で分断され、
前記第１のへこみ、前記第２のへこみは、それぞれ前記第１の頂部、前記第２の頂部の塑性変形によって形成されている
ことを特徴とする構造化充填物。
【請求項２】
前記第１及び第２の頂部の少なくとも一部が縁として構築されている、請求項１に記載の構造化充填物。
【請求項３】
前記第１のうねの谷がＶ字形に構築されている、請求項１又は請求項２に記載の構造化充填物。
【請求項４】
前記第２の谷底の延在している方向に沿って第３のへこみが、前記第２のうねの谷の前記第２の谷底に形成されている、請求項１から請求項３までのいずれかに記載の構造化充填物。
【請求項５】
前記第１のへこみ、前記第２のへこみが、それぞれ前記第１の頂部、前記第２の頂部の長さの最大７５％に及ぶ長さにわたって延在している、請求項１から請求項４までのいずれかに記載の構造化充填物。
【請求項６】
山が各へこみの中間に配置されている、請求項１から請求項５までのいずれか一項に記載の構造化充填物。
【請求項７】
前記第１又は第２の層のうちの少なくとも一方が開口を備える、請求項１から請求項６までのいずれか一項に記載の構造化充填物。